(57)【要約】【課題】  ロックの解除状態を保持することが可能で優れた操作性を発揮することができる自動車用脱着式シートのロック機構を提供すること。【解決手段】  シートクッション１ａ下面に設けられた固定プレート２と、この固定プレート２に回動自在に取り付けられた把持部３ｂ付きのカムプレート３によりボディフロアのストライカ２０を挟持してシート１を固定する脱着式シートのロック機構において、前記カムプレート３の外周に切欠溝４を形成し、カムプレート３を一定角度開いた場合に前記切欠溝４に係止爪５を挿入してカムプレート３を固定しロック解除状態を保持する固定用プレート６を設けたものとした。【選択図】      図１
2005343357.tif 000002
【特許請求の範囲】
【請求項１】
シートクッション下面に設けられた固定プレートと、この固定プレートに回動自在に取り付けられた把持部付きのカムプレートによりボディフロアのストライカを挟持してシートを固定する脱着式シートのロック機構において、前記カムプレートの外周に切欠溝を形成し、カムプレートを一定角度開いた場合に前記切欠溝に係止爪を挿入してカムプレートを固定しロック解除状態を保持する補助プレートを設けたことを特徴とする脱着式シートのロック機構。
【請求項２】
補助プレートは基部を固定プレートに回動自在に枢着されており、また先端にある係止爪が切欠溝に挿入される方向に常に付勢されている請求項１に記載の脱着式シートのロック機構。
【請求項３】
補助プレートの基部には把持部に向けて脚片部が一体的に延設されており、該脚片部がストライカに押し上げられることで補助プレートが係止爪を切欠溝から外す方向に回動するように構成されている請求項１または２に記載の脱着式シートのロック機構。
【発明の詳細な説明】
【技術分野】
【０００１】
本発明は、ロックの解除状態を保持することが可能で優れた操作性を発揮することができる自動車用脱着式シートのロック機構に関するものである。
【背景技術】
【０００２】
最近では、例えば自動車用セカンドシートやサードシートを脱着自在な構造としておき、必要に応じてシートを取り外し、車内の後部空間を広くしてこの空間部を荷物室として利用するようにしたものが知られている。また、このような脱着式シートのロック機構として、例えば特許文献１に示されるように、ボディフロアに設けられたストライカをシートクッション下面に設けられた把持部付きのカムプレートにより挟持して固定するものが広く用いられている。
【０００３】
前記ロック機構は、例えばシートの一部に設けられたロック解除レバーを操作することでカムプレートのストライカとのロック状態を解除させ、ボディからシートを取り外すものであり、一方、シートをボディに装着する場合は、逆の操作手順を行うものである。
しかしながら、従来のものではロック状態を解除した状態を保持するにはロック解除レバーを操作し続ける必要があり、ロック解除レバーから手を離すことができないため不便で操作性に劣るという問題点があった。
【特許文献１】特開平６−２２７３０１号公報
【発明の開示】
【発明が解決しようとする課題】
【０００４】
本発明は上記のような従来の問題点を解決して、ロックの解除状態を保持することが可能で優れた操作性を発揮することができる自動車用脱着式シートのロック機構を提供することを目的として完成されたものである。
【課題を解決するための手段】
【０００５】
上記課題を解決するためになされた本発明の脱着式シートのロック機構は、シートクッション下面に設けられた固定プレートと、この固定プレートに回動自在に取り付けられた把持部付きのカムプレートによりボディフロアのストライカを挟持してシートを固定する脱着式シートのロック機構において、前記カムプレートの外周に切欠溝を形成し、カムプレートを一定角度開いた場合に前記切欠溝に係止爪を挿入してカムプレートを固定しロック解除状態を保持する固定用プレートを設けたことを特徴とするものである。
【発明の効果】
【０００６】
本発明の脱着式シートのロック機構は、カムプレートの外周に切欠溝を形成し、カムプレートを一定角度開いた場合に前記切欠溝に係止爪を挿入してカムプレートを固定しロック解除状態を保持する固定用プレートを設けた構造であるから、従来のようにロック状態を解除した状態を保持するためにロック解除レバーを操作し続ける必要がなく、従ってロック解除レバーから手を離すことが可能で優れた取り扱い性を発揮できる。
【発明を実施するための最良の形態】
【０００７】
以下に、図面を参照しつつ本発明の好ましい形態を示す。
図面は、本発明を自動車用セカンドシートに適用した場合を示すものであって、図１は本発明の実施の形態を示すロック状態の斜視図、図２は本発明の実施の形態を示すロック解除状態の斜視図、図３は自動車用シートを示す全体斜視図である。
【０００８】
図において、１はシートクッション１ａとシートバック１ｂとからなるシート、２はシートクッション１ａの下面の四隅、即ち前後、左右端に設けられた固定プレート、３はこの固定プレート２に枢着部３ａをもって回動自在に取り付けられた把持部３ｂ付きのカムプレートである。また、２０はボディフロアに設けられたストライカ２０であり、前記固定プレート２とカムプレート３によりストライカ２０を挟持してシートを固定する脱着式シートのロック機構である点は従来のものと基本的に同じである。
なお、前記カムプレート３はストライカ２０を挟持する方向（図示のものでは反時計方向回り）に図示しないバネ等により常に付勢されており、ロック解除レバー２１（図３参照）を操作することによって、付勢力に反してカムプレート３を開く構造となっている点も従来と同様である。
【０００９】
本発明では、前記カムプレート３の外周に切欠溝４が形成され、カムプレート３を一定角度開いた場合には前記切欠溝４に係止爪５を挿入してカムプレート３を固定しロック解除状態を保持するための補助プレート６が設けられた構造となっている。この補助プレート６は、図示のものでは基部を枢着部６ａとして固定プレート２に回動自在に枢着されており、また先端にある係止爪５が切欠溝４に挿入される方向に図示しないバネ等により常に付勢されるよう構成されている。
即ち、このロック解除状態保持用の補助プレート６を設けたことにより、ロック解除レバー２１を操作してカムプレート３を開いた場合、カムプレート３が一定角度開くと外周にある切欠溝４に係止爪５が強制的に挿入されてカムプレート３が固定され、開きっぱなしの状態（ロック解除状態）が保持されるのである。
【００１０】
また、補助プレート６の基部には把持部３ｂに向けて脚片部７が一体的に延設されており、該脚片部７がストライカ２０に押し上げられることで補助プレート６が係止爪５を切欠溝４から外す方向に回動するよう構成されている。
図示のものでは、脚片部７は補助プレート６とほぼＬ字状部材を構成するように取り付けられており、屈曲部を枢着部６ａとして該枢着部６ａを中心に一体的に回動する構造となっている。これにより後述するように、再びシート１をボディに装着する場合、補助プレート６が回動して係止爪５を切欠溝４から自動的に外し前記ロック解除状態の保持を中止することとなる。
【００１１】
次に、本発明のロック機構の作動について説明する。
図１に示されるように、通常はロック状態となっており、固定プレート２とカムプレート３がストライカ２０を挟持してシート１を固定している。一方、ロックを解除してシート１を外す場合は、図１に示されるように、ロック解除レバー２１を操作しカムプレート３を時計回りに回動させて開状態とし、ストライカ２０から離脱するようにする点は従来と同じである。
この時、本発明においては前記カムプレート３の外周に切欠溝４が形成されており、一方、補助プレート６はカムプレート３を一定角度開いた場合、前記切欠溝４に係止爪５を付勢力により自動的に挿入するように構成されているので、図２の実線部分に示されるように、切欠溝４と係止爪５との係合によりカムプレート３は位置固定されることとなり、この結果、ロック解除レバー２１の操作を止めてもロック解除状態がそのまま保持されることとなり、以後のシート操作が容易なものとなる。
【００１２】
一方、シートをボディに装着する場合は、ロック解除状態が保持されているシートをストライカ２０に位置合わせして上から押し込めば、脚片部７がストライカ２０に押し上げられることで補助プレート６が枢着部６ａを中心に時計回り方向に回動して係止爪５を切欠溝４から外すこととなる。この結果、カムプレート３は付勢力により反時計回り方向に回動して再び固定プレート２との間にストライカ２０を挟持しシート１を固定することとなる。
【００１３】
以上の説明からも明らかなように、本発明はシートクッション１ａ下面に設けられた固定プレート２と、この固定プレート２に回動自在に取り付けられた把持部３ｂ付きのカムプレート３によりボディフロアのストライカ２０を挟持してシート１を固定する脱着式シートのロック機構において、前記カムプレート３の外周に切欠溝４を形成し、カムプレート３を一定角度開いた場合に前記切欠溝４に係止爪５を挿入してカムプレート３を固定しロック解除状態を保持する補助プレート６を設けたものとしたので、シート脱着操作の際にロック解除レバー２１を操作し続ける必要がなく、従ってロック解除レバー２１から手を離すことができるので、手が自由になる、シート１の任意の個所を持つことができる等、極めて優れた操作性を発揮することができることとなる。
【図面の簡単な説明】
【００１４】
【図１】本発明の実施の形態を示すロック状態の斜視図である。
【図２】本発明の実施の形態を示すロック解除状態の斜視図である。
【図３】自動車用シートを示す全体斜視図である。
【符号の説明】
【００１５】
１ａ  シートクッション
２  固定プレート
３  カムプレート
４  切欠溝
５  係止爪
６  固定用プレート
７  脚片部
２０  ストライカ
【図１】
2005343357.tif 000003
【図２】
2005343357.tif 000004
【図３】
2005343357.tif 000005